(57)【要約】【課題】  ローディングされたディスクが１枚だけの場合には、そのまま正常に記録モード又は再生モードへの移行を行うことが可能であり、ローディングされたディスクがユーザの誤挿入などに起因して２枚重ねになっている場合には、そのことをプッシュスイッチによって機械的に検出させる。【解決手段】  ディスクトレイ１によってローディングされたディスク１００をターンテーブル２が受け取ってディスクトレイ１から浮き上がらせたときに、ディスク１００の枚数が２枚であればプッシュスイッチ７の入切モードが切り換わり、ディスク１００の枚数が１枚であればプッシュスイッチ７の入切モードが切り換わらないように構成されている。【選択図】        図５
2006172559.tif 000002
【特許請求の範囲】
【請求項１】
ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されているディスク装置において、
上記クランパが上記ディスクトレイを保持している筐体に取り付けられていると共に、上記筐体のクランパ取付箇所に隣接してプッシュスイッチが設置され、そのプッシュスイッチの入切モード切換え動作を行わせるためのタクトが、ディスクトレイからターンテーブルに受け取られたディスクの上面に対向するようになっていて、ターンテーブルがディスクトレイから２枚以上のディスクを受け取ったときのみにそのディスクの上面が上記タクトを押し込むように構成されていることを特徴とするディスク装置。
【請求項２】
ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されているディスク装置において、
上記クランパが上記ディスクトレイを保持している筐体に上向きに弾発付勢された状態で取り付けられていると共に、ディスクトレイからディスクを受け取って上昇した上記ターンテーブルに近付く方向に上記クランパをその弾発付勢に抗して付勢する吸着手段が当該クランパに備わり、上記筐体のクランパ取付箇所に隣接してプッシュスイッチが設置され、そのプッシュスイッチの入切モード切換え動作を行わせるためのタクトが、上記クランパに設けられたタクト押圧部に対向されていて、そのクランパが１枚のディスクをターンテーブルに押し付けたときのみに上記タクト押圧部が上記プッシュスイッチのタクトを押し込むように構成されていることを特徴とするディスク装置。
【請求項３】
ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されているディスク装置において、
ターンテーブルが受け取ったディスクの上面の高さレベルを判別要素としてターンテーブル上のディスクが１枚であるか２枚以上であるかを機械的に判別する枚数判別手段を追加したことを特徴とするディスク装置。
【請求項４】
上記枚数判別手段が、ターンテーブルが２枚以上のディスクを受け取ったときのみにそのディスクの上面により押されて入切モード切換え動作を行うタクトを備えるプッシュスイッチでなる請求項３に記載したディスク装置。
【請求項５】
上記枚数判別手段が、ターンテーブルが受け取った２枚以上のディスクを押圧したときの上記クランパの位置を検出するプッシュスイッチでなる請求項３に記載したディスク装置。
【請求項６】
上記クランパが、上記ディスクトレイを保持している筐体に取り付けられていて、その筐体に上記プッシュスイッチが設置されている請求項４又は請求項５に記載したディスク装置。
【発明の詳細な説明】
【技術分野】
【０００１】
本発明は、ディスク装置、特にディスクトレイの動作によってディスクをローディングさせる場合に、ディスクが２枚重ねでローディングされたまま記録モード又は再生モードに移行してしまうことを防ぐための対策を講じたディスク装置に関する。
【背景技術】
【０００２】
ディスク装置には、ディスクトレイにディスクを載架してローディングするもの（トレイイン型という）、ローディング用のローラによってディスクに送り力を付与してディスクをローディングするもの（スロットイン型という）などが知られている。このうち、トレイイン型の従来のディスク装置のローディングから記録／再生モードに至る工程を図９及び図１０に概略的に示してある。
【０００３】
図９はディスクトレイ１によってディスク１００がローディングされた状態、図１０はディスク１００が記録／再生モードに移行した状態を、それぞれ示した一部破断概略側面図である。図９及び図１０において、２はターンテーブル、３はターンテーブル２の駆動源であるモータ、４は光ピックアップ、５はクランパを示している。
【０００４】
このディスク装置において、ターンテーブル２が装備されたモータ３と光ピックアップ４とは、それらに共通の上下揺動される可動シャーシ（不図示）に搭載されていて、ディスクトレイ１が矢印Ａのように前進してディスク１００をローディングするとき、及び、ディスクトレイ１が矢印Ｂのように後進してディスク１００をアンローディングするときには、上記可動シャーシが下動して図９のようにターンテーブル２が待機位置に配備され、光ピックアップ４も同様に待機位置に配備されている。これに対し、ディスクトレイ１がディスク１００をローディングした後には、上記可動シャーシが上動することにより、図１０矢印Ｃのようにターンテーブル３が図９の待機位置から上昇してディスクトレイ１上のディスク１００を受け取り、そのディスク１００をディスクトレイ１から浮き上がらせる。そして、ターンテーブル３がディスク１００をディスクトレイ１から浮き上がらせるのにタイミングを合わせて、クランパ５がそのディスク１００をターンテーブル２に押し付ける。この後、記録モード又は再生モードが実行されると、クランパ５によってターンテーブル２に押し付けられたディスク１００がターンテーブル２と共に回転し、光ピックアップ４がディスク１００の半径方向に移動する。
【０００５】
ここで、クランパ５は、ディスクトレイ１を前後進可能に保持している筐体（固定シャーシ）６の横桁部６１に備わっている孔部６２に上下動自在に嵌合保持されている。そして、そのクランパ５はマグネット（不図示）を有し、そのマグネットの吸引作用が、ターンテーブル２側に具備された磁性ヨーク（不図示）に及ぶようになっている。したがって、上記可動シャーシが上動してターンテーブル３がその待機位置から上昇してディスクトレイ１上のディスク１００を受け取った後、そのディスク１００がクランパ５を押し上げると、クランパ５のマグネットの吸引作用によってそのクランパがディスク１００をターンテーブル２に押し付けるという作用が発揮される。
【０００６】
以上説明したディスク装置では、ディスク１００が１枚だけローディングされることを前提としてターンテーブル２や光ピックアップ４の位置関係が定められている。
【０００７】
しかしながら、ユーザが誤って２枚のディスクを重ね合わせたままディスクトレイ１に載架してローディングを行ってしまうこともあり、そのようなディスク誤挿入が行われたまま、記録モードや再生モードが実行されると、そのことがターンテーブル２や光ピックアップ４、その他の機構部の動作不良や故障の原因になる。
【０００８】
一方、先行例として、１枚のディスクがローディングされた場合でも２枚のディスクが重ね合わせてローディングされた場合でも、ディスクの正確な厚さを光学的に検出して正常に動作させるようにすることを可能にするための光ディスク装置が知られている（特許文献１参照）。また、他の先行例として、スロットイン型のディスク装置において、先行してローディングされたディスクが存在しているときに、その後に挿入されようとする２枚目のディスクを検出することを可能にする技術がある（特許文献２、特許文献３参照）。
【特許文献１】特開平８−３１５４７６号公報
【特許文献２】特開２００１−３１２８５０号公報
【特許文献３】特開２００４−２２１２８号公報
【発明の開示】
【発明が解決しようとする課題】
【０００９】
しかしながら、特許文献２や特許文献３によって提案されている上掲の先行例はスロットイン型のディスク装置について適用することが可能であって、図９及び図１０で説明したトレイイン型のディスク装置に対しては適用することができない。
【００１０】
これに対し、特許文献１によって提案されている上掲の先行例は、ディスクの全体厚さを光学的に検出する方式を採用し、レーザ反射部やレーザ受光部を備えている。そのため、特許文献１に記載されているようなディスクの全体厚さを光学的に検出する方式を、図９や図１０を参照して説明したトレイイン型のディスク装置の上記ディスク誤挿入の検出に利用すると、複雑な電気的制御を行うことを余儀なくされるばかりか、レーザ反射部やレーザ受光部のような高価な部品を用いることが避けられなくなるので、装置全体の機械的電気的構成が複雑になって価格も高くつくという問題がある。
【００１１】
本発明は以上の状況の下でなされたものであり、トレイイン型のディスク装置において、ディスクが２枚重ねでローディングされたまま記録モード又は再生モードに移行してしまうことを、構成が簡単でそれほどのコスト高を招かない機械的機構によって未然に防止することが可能になるディスク装置を提供することを目的とする。
【００１２】
また、本発明は、図９及び図１０を参照して説明した従来のディスク装置に簡単な構成を追加するだけでディスク誤挿入を防ぐことのできるディスク装置を提供することを目的とする。
【課題を解決するための手段】
【００１３】
本発明に係るディスク装置は、ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されている。そして、この発明では、ターンテーブルが受け取ったディスクの上面の高さレベルを判別要素としてターンテーブル上のディスクが１枚であるか２枚以上であるかを機械的に判別する枚数判別手段を追加してある。
【００１４】
この発明によると、枚数判別手段が、ディスクトレイからターンテーブルが受け取ったディスクの上面の高さレベルを判別要素としてターンテーブル上のディスクが１枚であるか２枚以上であるかを機械的に判別するものであるので、上掲の特許文献１に記載されているようなレーザ反射部やレーザ受光部のような高価な部品を用いる必要がなくなる。
【００１５】
本発明では、上記枚数判別手段が、ターンテーブルが２枚以上のディスクを受け取ったときのみにそのディスクの上面により押されて入切モード切換え動作を行うタクトを備えるプッシュスイッチでなる、という構成を採用することが可能であり、これによれば、枚数判別手段として安価なプッシュスイッチを用いることができるという利点がある。また、枚数判別手段としてのプッシュスイッチは、そのタクトがディスクの上面で押されることによってディスクの上面の高さレベルを判別するようになっているので、ディスクの上面の高さレベルがプッシュスイッチによって直接的に検出されて、それだけ判別精度が向上するという利点もある。
【００１６】
本発明では、上記枚数判別手段が、ターンテーブルが受け取った２枚以上のディスクを押圧したときの上記クランパの位置を検出するプッシュスイッチでなる、という構成を採用することも可能であり、その場合には、上記クランパが、上記ディスクトレイを保持している筐体に取り付けられていて、その筐体に上記プッシュスイッチが設置されていることが望ましい。これによれば、プッシュスイッチの部品（たとえばタクト）をディスクに接触させずにディスクの上面の高さレベルを判別することが可能になるので、ディスクに傷の付くことがないという利点がある。
【００１７】
また、本発明に係るディスク装置は、ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されているディスク装置において、上記クランパが上記ディスクトレイを保持している筐体に取り付けられていると共に、上記筐体のクランパ取付箇所に隣接してプッシュスイッチが設置され、そのプッシュスイッチの入切モード切換え動作を行わせるためのタクトが、ディスクトレイからターンテーブルに受け取られたディスクの上面に対向するようになっていて、ターンテーブルがディスクトレイから２枚以上のディスクを受け取ったときのみにそのディスクの上面が上記タクトを押し込むように構成されている、という構成を採用することによっていっそう具体化される。
【００１８】
同様に、ディスクトレイに載架されてローディングされたディスクを、ターンテーブルがその待機位置から上昇して受け取った後、そのターンテーブルの上方に上下動自在に配備されているクランパがそのディスクをターンテーブルに押し付けてターンテーブルと共に回転させるように構成されているディスク装置において、上記クランパが上記ディスクトレイを保持している筐体に上向きに弾発付勢された状態で取り付けられていると共に、ディスクトレイからディスクを受け取って上昇した上記ターンテーブルに近付く方向に上記クランパをその弾発付勢に抗して付勢する吸着手段が当該クランパに備わり、上記筐体のクランパ取付箇所に隣接してプッシュスイッチが設置され、そのプッシュスイッチの入切モード切換え動作を行わせるためのタクトが、上記クランパに設けられたタクト押圧部に対向されていて、そのクランパが１枚のディスクをターンテーブルに押し付けたときのみに上記タクト押圧部が上記プッシュスイッチのタクトを押し込むように構成されている、という構成を採用することによってもいっそう具体化される。
【発明の効果】
【００１９】
以上のように、本発明に係るディスク装置によれば、ディスクトレイに載架されてローディングされたディスクが１枚だけの場合には、そのまま正常に記録モード又は再生モードへの移行を行うことが可能であるのに対し、ローディングされたディスクがユーザの誤挿入などに起因して２枚重ねになっている場合には、そのことがプッシュスイッチなどによって構成される枚数判別手段によって機械的に検出される。そのため、その検出信号を利用して記録モード又は再生モードに移行することを停止したり、即座にディスクをアンローディングさせたりすることが可能になるので、誤って記録モードや再生モードが実行されてしまってターンテーブル２や光ピックアップ４、その他の機構部が動作不良を起こしたり故障したりすることがなくなる。したがって、ユーザは安心してディスク装置を使用することが可能になる。
【発明を実施するための最良の形態】
【００２０】
図１はトレイイン型のディスク装置の外観斜視図である。同図のように、このディスク装置は、樹脂成形体でなる筐体６にディスクトレイ１が出退可能に保持されている。また、筐体６には横桁部６１が一体成形されていて、この横桁部６１にクランパ５が取り付けられている。
【００２１】
図２〜図５は第１実施形態に係る要部の一部破断側面図である。この実施形態のディスク装置において、図９及び図１０で説明したものと相違する点は、横桁部６１に、ディスクトレイ１からターンテーブル２によって受け取られたディスク１００の上面の高さレベルの判別要素として、ターンテーブル２上のディスク１００が１枚であるか２枚以上であるかを機械的に判別するための枚数判別手段としてのプッシュスイッチ７が設置されている点である。
【００２２】
プッシュスイッチ７は、横桁部６１の孔部６２に保持されているクランパ５の取付箇所に隣接して配備されていて、そのタクト７１が、ディスクトレイ１に載架されてローディングされたディスク１００の中心に近い箇所に対向するように下向きに突出している。
【００２３】
このディスク装置において、ローディングされたディスク１００を受け取ってディスクトレイ１から浮き上がらせる際のターンテーブル２の上動限高さは、ディスクトレイ１に載架されているディスク１００の枚数に関係なく一定に定められている。そして、ローディングされたディスク１００の枚数が１枚のときには、ターンテーブル２がその１枚のディスク１００をディスクトレイ１から受け取って浮き上がらせても、上記プッシュスイッチ７のタクト７１がディスク１００によって押し込まれず、それに対して、ローディングされたディスク１００の枚数が２枚又は２枚より多いときには、ターンテーブル２がそれらのディスク１００をディスクトレイ１から受け取って浮き上がらせたときに、上記プッシュスイッチ７のタクト７１がディスク１００の上面により押し上げられて押し込まれるようになっている。また、プッシュスイッチ７は、そのタクト７１が押し込まれたときと、押し込まれていないときとで入切モードが切り換わる機能を備えている。たとえば、タクト７１が押し込まれていないときには切モードになり、タクト７１が押し込まれたときには入モードになる機能を備えている。
【００２４】
したがって、図２のように、ディスクトレイ１が矢印Ａのように前進して１枚だけのディスク１００をローディングした後、図３の矢印Ｃのようにターンテーブル２がその１枚のディスク１００をディスクトレイ１から受け取って浮き上がらせても、プッシュスイッチ７の動作モードが切り換わらずに初期モードがそのまま維持される。これに対し、図４のように、ディスクトレイ１が矢印Ａのように前進して２枚重ねのディスク１００をローディングした後、図５の矢印Ｃのようにターンテーブル２がその２枚重ねのディスク１００をディスクトレイ１から受け取って浮き上がらせると、プッシュスイッチ７のタクト７１がディスク１００の上面により押し上げられて押し込まれるので、プッシュスイッチ７の動作モードが切り換わる。
【００２５】
このことから、ターンテーブル２が上動限高さにまで上動したときにプッシュスイッチ７の動作モードが切り換わらないときには、ローディングされたディスク１００の枚数が１枚であると判別され、それに対して、ターンテーブル２が上動限高さにまで上動したときにプッシュスイッチ７の動作モードが切り換わったときには、ローディングされたディスク１００の枚数が２枚又は２枚より多いと判別される。そして、図８に示したフロー図によって判るように、プッシュスイッチ７の動作モードが切り換わらないときには２枚以上のディスクは検出されていないので、記録モード又は再生モードに移行して光ピックアップ４によるディスクの記録又は再生の光学的処理を適切に行わせることが可能であり、プッシュスイッチ７の動作モードが切り換わったときには２枚又は２枚より多い枚数のディスクが検出されているので、たとえばディスク排出モードに移行させ、ターンテーブル２を下動させてディスク１００をディスクトレイ１に戻した後、ディスクトレイ１でディスク１００をアンローディングさせることが可能である。
【００２６】
図２〜図５で説明した実施形態では、プッシュスイッチ７をクランパ５の取付箇所に隣接して配備してあるので、ターンテーブル２がディスクトレイ１からディスク１００を浮き上がらせているときに、そのディスク１００が波打ち状に変形していたりディスク１００がわずかに傾斜していても、それらの影響によってプッシュスイッチ７の枚数判別性能が影響を受けにくいという利点がある。
【００２７】
図６及び図７は他の実施形態に係る要部の一部破断側面図である。この実施形態のディスク装置でも、横桁部６１に、ディスクトレイ１からターンテーブル２によって受け取られたディスク１００の上面の高さレベルの判別要素として、ターンテーブル２上のディスク１００が１枚であるか２枚以上であるかを機械的に判別するための枚数判別手段としてのプッシュスイッチ７が設置されている。また、この実施形態では、クランパ５が筐体６の横桁部６１にばね８によって上向きに弾発付勢された状態で取り付けられていて、そのクランパ５に設けられたタクト押圧部５１が上記プッシュスイッチ７のタクト７１に対向している。
【００２８】
クランパ５は吸着手段としてのマグネット（不図示）を有し、そのマグネットの吸引作用が、ターンテーブル２側に具備された磁性ヨーク（不図示）に及ぶようになっている。したがって、ターンテーブル３がその待機位置から上昇してディスクトレイ１上のディスク１００を受け取った後、ディスクトレイ１からディスク１００を浮き上がらせると、クランパ５のマグネットの吸引作用によってそのクランパ５がばね８の付勢に抗して下動してディスク１００をターンテーブル２に押し付けるという作用が発揮される。さらに、このディスク装置において、ローディングされたディスク１００を受け取ってディスクトレイ１から浮き上がらせる際のターンテーブル２の上動限高さは、ディスクトレイ１に載架されているディスク１００の枚数に関係なく一定に定められている。
【００２９】
この実施形態では、ディスクトレイ１によってローディングされたディスク１００をターンテーブル２がディスクトレイ１から浮き上がらせ、クランパ５が下動してディスク１００をターンテーブル２に押し付けた場合、ディスク１００が１枚の場合と２枚以上の場合とでは、ディスク１００をターンテーブル２に押し付けたときのタクト押圧部５１の上下位置が異なり、ディスク１００が１枚のときには、２枚のときよりもタクト押圧部５１の上下位置が下位に位置するようになる。そこで、このことを利用して、ローディングされたディスク１００の枚数が１枚のときには、ターンテーブル２がディスクトレイ１から浮き上がらせたディスク１００が１枚のときには、クランパ５が下動してディスク１００をターンテーブル２に押し付けたときに、プッシュスイッチ７のタクト７１がタクト押圧部５１を押し下げられて押し込むのに対し、ローディングされたディスク１００の枚数が２枚又は２枚以上のときには、クランパ５が下動してディスク１００をターンテーブル２に押し付けたときに、プッシュスイッチ７のタクト７１が押圧部５１によって押し込まれないようにタクト７１の高さを定めてある。また、プッシュスイッチ７は、そのタクト７１が押し込まれたときと、押し込まれていないときとで入切モードが切り換わる機能を備えている。
【００３０】
したがって、図６のように、ディスクトレイ１が１枚だけのディスク１００をローディングした後、矢印Ｃのようにターンテーブル２がその１枚のディスク１００をディスクトレイ１から受け取って浮き上がらせ、クランパ５が下動してディスク１００をターンテーブル２に押し付けたときには、プッシュスイッチ７のタクト７１が押圧部５１により押し下げられて押し込まれる。これに対し、図７のように、ディスクトレイ１が２枚重ねのディスク１００をローディングした後、矢印Ｃのようにターンテーブル２がその２枚重ねのディスク１００をディスクトレイ１から受け取って浮き上がらせ、クランパ５が下動してディスク１００をターンテーブル２に押し付けたときには、プッシュスイッチ７の動作モードが切り換わらずに初期モードがそのまま維持される。
【００３１】
このことから、ターンテーブル２が上動限高さにまで上動したときにプッシュスイッチ７の動作モードが切り換わったときには、ローディングされたディスク１００の枚数が１枚であると判別され、それに対して、ターンテーブル２が上動限高さにまで上動したときにプッシュスイッチ７の動作モードが切り換わらないときには、ローディングされたディスク１００の枚数が２枚又は２枚より多いと判別される。そして、図８に示したフロー図のように、プッシュスイッチ７の動作モードが切り換わったときには２枚以上のディスクは検出されていないので、記録モード又は再生モードに移行して光ピックアップ４によるディスクの記録又は再生の光学的処理を適切に行わせることが可能であり、プッシュスイッチ７の動作モードが切り換わらないときには２枚又は２枚より多い枚数のディスクが検出されているので、たとえばディスク排出モードに移行させ、ターンテーブル２を下動させてディスク１００をディスクトレイ１に戻した後、ディスクトレイ１でディスク１００をアンローディングさせることが可能である。
【００３２】
この実施形態では、プッシュスイッチ７のタクト７１がディスク１００に接触しないためにディスクが傷付くという事態が起こり得ないという利点がある。
【００３３】
なお、図１〜図１０において同一又は相応する部分には同一符号を付してある。
【図面の簡単な説明】
【００３４】
【図１】トレイイン型のディスク装置の外観斜視図である。
【図２】実施形態のディスク装置において、１枚のディスクがローディングされた状態の一部破断側面図である。
【図３】同ディスク装置において、１枚のディスクがクランプされた状態の一部破断側面図である。
【図４】同ディスク装置において、２枚のディスクがローディングされた状態の一部破断側面図である。
【図５】同ディスク装置において、２枚のディスクがクランプされた状態の一部破断側面図である。
【図６】他の実施形態のディスク装置において、１枚のディスクがクランプされた状態の一部破断側面図である。
【図７】同ディスク装置において、２枚のディスクがクランプされた状態の一部破断側面図である。
【図８】フロー図である。
【図９】従来例での１枚のディスクがローディングされた状態の一部破断側面図である。
【図１０】従来例での１枚のディスクがクランプされた状態の一部破断側面図である。
【符号の説明】
【００３５】
１  ディスクトレイ
２  ターンテーブル
５  クランパ
６  筐体
７  プッシュスイッチ
５１  押圧部（タクト押圧部）
７１  プッシュスイッチのタクト
１００  ディスク
【図１】
2006172559.tif 000003
【図２】
2006172559.tif 000004
【図３】
2006172559.tif 000005
【図４】
2006172559.tif 000006
【図５】
2006172559.tif 000007
【図６】
2006172559.tif 000008
【図７】
2006172559.tif 000009
【図８】
2006172559.tif 000010
【図９】
2006172559.tif 000011
【図１０】
2006172559.tif 000012